(57)【要約】  冷蔵室５と、低温室５０と、収納ケース５１と、低温室５０の背壁上に開口して冷気が吐出する吐出口１４と、低温室５０の背壁上に開口して冷気が低温室５０から流出する戻り口１５と、低温室５０の底壁上に凹設して吐出口１４と戻り口１５とを連通させるダクト部１６と、前後方向に延びてダクト部１６の底面に立設され、吐出口１４と戻り口１５との間を左右に仕切る仕切壁５２とを備えた。
2018179468.tif 000002
【特許請求の範囲】
【請求項１】
貯蔵物を冷蔵保存する冷蔵室と、前記冷蔵室の底部に隔離壁を介して設けられるとともに前記隔離壁の上方よりも低温に維持される低温室と、前記低温室内に配される収納ケースと、前記低温室の背壁上に開口して冷気が吐出する吐出口と、前記低温室の背壁上に開口して冷気が前記低温室から流出する第１戻り口と、前記低温室の底壁上に凹設して前記吐出口と前記第１戻り口とを連通させるダクト部と、前後方向に延びて前記ダクト部の底面に立設されるとともに前記吐出口と前記第１戻り口との間を左右に仕切る仕切壁とを備えたことを特徴とする冷蔵庫。
【請求項２】
前記仕切壁が前記ダクト部の後部に配して前記収納ケースに近接または当接する第１仕切部と、前記第１仕切部の前方に配して前記第１仕切部よりも低い第２仕切部とを有することを特徴とする請求項１に記載の冷蔵庫。
【請求項３】
前記低温室の前方に配して前記冷蔵室の底壁に凹設される収納部と、前記収納部の上面を閉じて後方にスライドして前記収納部を開く蓋部とを備え、前記第２仕切部が前記第１仕切部に対する段差により形成されるとともに、後方にスライドした前記蓋部が前記第２仕切部と前記収納ケースとの間に配されることを特徴とする請求項２に記載の冷蔵庫。
【請求項４】
前記ダクト部が前記冷蔵室の横幅全体に設けられることを特徴とする請求項２または請求項３に記載の冷蔵庫。
【請求項５】
貯蔵物を冷凍保存する冷凍室と、前記冷蔵室よりも高温で貯蔵物を冷蔵保存する野菜室とを前記冷蔵室の下方に左右に並設し、前記ダクト部が前記冷凍室の上方を避けて前記野菜室の上方に配されることを特徴とする請求項１〜請求項３のいずれかに記載の冷蔵庫。
【請求項６】
前記仕切壁が前記低温室の背壁上に延設されることを特徴とする請求項１〜請求項５のいずれかに記載の冷蔵庫。
【請求項７】
前記収納ケースの外面上に前記仕切壁が嵌合する溝部を設けたことを特徴とする請求項１〜請求項６のいずれかに記載の冷蔵庫。
【発明の詳細な説明】
【技術分野】
【０００１】
本発明は冷蔵室内に低温室を設けた冷蔵庫に関する。
【背景技術】
【０００２】
冷蔵室内に低温室を設けた従来の冷蔵庫は特許文献１に開示されている。この冷蔵庫は貯蔵物を冷蔵保存する冷蔵室の底部に隔離壁を介して低温室が配される。低温室内には収納ケースが配され、収納ケースの上面は隔離壁により覆われる。隔離壁は断熱材を充填して形成され、低温室の内部には前後に延びる冷気通路が設けられる。【０００３】
隔離壁の下面には冷気が吐出する吐出口が設けられる。低温室の背面には低温室内の冷気が流出する戻り口が設けられる。【０００４】
上記構成の冷蔵庫において、冷気通路を流通する冷気は吐出口を介して低温室内に吐出される。低温室に吐出された冷気は背面の戻り口を介して流出する。これにより、低温室内が冷却される。この時、隔離壁内の冷気通路が前後に延びて吐出口が隔離壁の下面に形成されるため、低温室内を均一に冷却することができる。また、隔離壁が断熱材により形成されるため、隔離壁の上面の結露を防止することができる。
【先行技術文献】
【特許文献】
【０００５】
【特許文献１】特開２０１５−１１７９２２号公報（第５頁〜第１０頁、第７図）
【発明の概要】
【発明が解決しようとする課題】
【０００６】
しかしながら、上記従来の冷蔵庫によると、前後に延びる冷気通路による結露防止のために隔離壁を断熱材により形成するため、冷蔵庫の容積効率が低下するとともに、製造コストが大きくなる問題があった。【０００７】
本発明は、容積効率を向上するとともに製造コストを削減できる冷蔵庫を提供することを目的とする。
【課題を解決するための手段】
【０００８】
上記目的を達成するために本発明は、貯蔵物を冷蔵保存する冷蔵室と、前記冷蔵室の底部に隔離壁を介して設けられるとともに前記隔離壁の上方よりも低温に維持される低温室と、前記低温室内に配される収納ケースと、前記低温室の背壁上に開口して冷気が吐出する吐出口と、前記低温室の背壁上に開口して冷気が前記低温室から流出する第１戻り口と、前記低温室の底壁上に凹設して前記吐出口と前記第１戻り口とを連通させるダクト部と、前後方向に延びて前記ダクト部の底面に立設されるとともに前記吐出口と前記第１戻り口との間を左右に仕切る仕切壁とを備えたことを特徴とする。【０００９】
また本発明は、前記仕切壁が前記ダクト部の後部に配して前記収納ケースに近接または当接する第１仕切部と、前記第１仕切部の前方に配して前記第１仕切部よりも低い第２仕切部とを有することを特徴とする。【００１０】
また本発明は、上記構成の冷蔵庫において、前記低温室の前方に配して前記冷蔵室の底壁に凹設される収納部と、前記収納部の上面を閉じて後方にスライドして前記収納部を開く蓋部とを備え、前記第２仕切部が前記第１仕切部に対する段差により形成されるとともに、後方にスライドした前記蓋部が前記第２仕切部と前記収納ケースとの間に配されることを特徴とする。【００１１】
また本発明は、前記ダクト部が前記冷蔵室の横幅全体に設けられることを特徴とする。【００１２】
また本発明は、貯蔵物を冷凍保存する冷凍室と、前記冷蔵室よりも高温で貯蔵物を冷蔵保存する野菜室とを前記冷蔵室の下方に左右に並設し、前記ダクト部が前記冷凍室の上方を避けて前記野菜室の上方に配されることを特徴とする。【００１３】
また本発明は、前記隔離壁よりも上方の前記冷蔵室の背壁上に冷気を流出させる第２戻り口を設けたことを特徴とする。【００１４】
また本発明は、上記構成の冷蔵庫において、前記仕切壁が前記低温室の背壁上に延設されることを特徴とする。【００１５】
また本発明は、上記構成の冷蔵庫において、前記収納ケースの背面上に前記吐出口と前記第１戻り口との間を左右に仕切る遮蔽リブを設けたことを特徴とする。【００１６】
また本発明は、上記構成の冷蔵庫において、前記収納ケースの外面上に前記仕切壁が嵌合する溝部を設けたことを特徴とする。
【発明の効果】
【００１７】
本発明によると、低温室の底壁上にダクト部が凹設され、前後方向に延びて吐出口と第１戻り口との間を左右に仕切る仕切壁がダクト部の底面に立設される。これにより、収納ケースの下方を冷気が前後方向に流通して、収納ケース内を均一に冷却することができる。また、収納ケースの上方の隔離壁を断熱材により形成しなくてもよいため、冷蔵庫の容積効率を向上するとともに製造コストを削減することができる。
【図面の簡単な説明】
【００１８】
【図１】本発明の第１実施形態の冷蔵庫を示す正面図
【図２】本発明の第１実施形態の冷蔵庫のチルド室を示す正面断面図
【図３】本発明の第１実施形態の冷蔵庫のチルド室を示す側面断面図
【図４】本発明の第１実施形態の冷蔵庫のチルド室を示す上面断面図
【図５】本発明の第２実施形態の冷蔵庫のチルド室を示す側面断面図
【図６】本発明の第３実施形態の冷蔵庫のチルド室を示す側面断面図
【図７】本発明の第４実施形態の冷蔵庫のチルド室を示す正面断面図
【図８】本発明の第４実施形態の冷蔵庫のチルド室を示す上面断面図
【発明を実施するための形態】
【００１９】
＜第１実施形態＞
以下に図面を参照して本発明の実施形態を説明する。図１は第１実施形態の冷蔵庫１の正面図を示している。冷蔵庫１は断熱箱体２により形成される本体部３を備えている。断熱箱体２は内箱２ｂ（図２参照）と内箱２ｂの外側を覆う外箱２ａ（図２参照）との間にポリウレタンフォーム等の断熱材２ｃ（図２参照）を充填して形成される。
【００２０】
本体部３の上部には冷蔵室５が設けられている。冷蔵室５の下方には断熱壁１１を介して冷凍室６及び野菜室７が左右に並設される。冷凍室６と野菜室７との間には上下に延びた断熱壁（不図示）が設けられている。
【００２１】
冷凍室６及び野菜室７の下方には左右に延びた断熱壁１３を介して冷凍室８が設けられている。冷凍室６と冷凍室８とは断熱壁１３に設けた開口部（不図示）を介して連通する。冷凍室８の後方には機械室（不図示）が設けられている。
【００２２】
冷蔵室５は貯蔵物を冷蔵保存し、野菜室７は冷蔵室５よりも高温に維持して野菜等の貯蔵物を冷蔵保存する。冷凍室６及び冷凍室８は貯蔵物の冷凍保存や製氷を行う。機械室内には冷凍サイクルを運転する圧縮機（不図示）が配されている。
【００２３】
冷蔵室５は左右端でそれぞれ枢支された観音開きの扉５ａ及び扉５ｂにより開閉される。冷蔵室５の底部には水平な隔離壁５ｃ及び垂直な側壁５０ｂを介してチルド室５０（低温室）が設けられる。隔離壁５ｃは樹脂成型品により形成される。また、チルド室５０は隔離壁５ｃの上方よりも低温（例えば、１℃）に維持される。
【００２４】
冷凍室６の前面はスライド式の扉６ａにより開閉される。冷凍室８の前面はスライド式の扉８ａにより開閉される。野菜室７の前面はスライド式の扉７ａにより開閉される。
【００２５】
冷凍室６、８の背面には冷気通路２２が設けられる。冷気通路２２には冷却器１０及び送風ファン９が配され、冷凍室６及び冷凍室８に臨む吐出口（不図示）及び冷却器１０に冷気を戻す戻り口（不図示）が開口する。冷却器１０は圧縮機（不図示）に接続され、冷気を生成する。
【００２６】
冷蔵室５の背面にはダンパ（不図示）を介して冷気通路２２と連通する冷気通路２３が設けられている。冷気通路２３には冷蔵室５に臨む吐出口２３ａ及び吐出口１４が開口する。吐出口２３ａは隔離壁５ｃよりも上方に配され、吐出口１４はチルド室５０に臨んで隔離壁５ｃよりも下方に配される。
【００２７】
また、チルド室５０の背壁上には戻り口１５が開口し、戻り口１５から野菜室７に連通する連通路（不図示）が導出される。野菜室７には冷気通路２２に連結される戻り通路が導出される。
【００２８】
図２、図３、図４はチルド室５０の正面断面図、側面断面図及び上面断面図を示している。チルド室５０には前後方向にスライド可能な収納ケース５１が設けられる。収納ケース５１の上面は隔離壁５ｃの下面に取り付けられる蓋５１ｃにより覆われる。
【００２９】
チルド室５０の背壁上にはチルド室５０の左部に面して吐出口１４が開口し、チルド室５０の右部に面して戻り口１５（第１戻り口）が開口する。隔離壁５ｃよりも上方の冷蔵室５の背壁上に戻り口１７（第２戻り口）が開口する。また、戻り口１７は戻り口１５の略鉛直上方に配され、冷蔵室５と野菜室７（図１参照）とを連結する連通路（不図示）上に戻り口１７及び戻り口１５が設けられる。これにより、冷蔵室５内の冷気は冷蔵室５を流通して戻り口１７を介して流出し、チルド室５０内を通り、戻り口１５を介して流出する。
【００３０】
また、チルド室５０にはダクト部１６及び仕切壁５２が設けられる。ダクト部１６はチルド室５０の底壁を形成する断熱壁１１上に凹設され、吐出口１４と戻り口１５とを連通させる。収納ケース５１はダクト部１６の側壁上を摺動して前後にスライドする。収納ケース５１を収納位置としたときに、収納ケース５１の前端がダクト部１６の前壁よりも前となるように、ダクト部１６が形成される。これにより、ダクト部１６全体を収納ケース５１の底壁５１ｄで覆うことができ、吐出口１４からの冷気が冷蔵室５に流出することを抑制し、収納ケース５１の冷却を効率よく行うことができる。
【００３１】
また、ダクト部１６は冷凍室６の上方を避けて野菜室７の上方に配される。チルド室５０と野菜室７との温度差はチルド室５０と冷凍室６との温度差よりも小さい。このため、野菜室７の上方でダクト部１６により断熱壁１１の断熱厚さを小さくしても冷蔵室５と野菜室７との間の断熱性を確保することができる。
【００３２】
仕切壁５２は前後方向に延びてダクト部１６の底面に立設され、吐出口１４と戻り口１５との間を左右に仕切る。また、仕切壁５２の前方にはダクト部１６の左右を連通する連通部５０ａが設けられる。これにより、ダクト部１６は仕切壁５２の前方の連通部５０ａで折り返されるＵ字型に形成される。仕切壁５２の上面５２ｄは収納ケース５１の下面に当接し、収納ケース５１は仕切壁５２上を摺動する。仕切壁５２の上面５２ｄと収納ケース５１の下面との間は、冷気の流通を抑制できる程度の隙間を設けてもよい。
【００３３】
また、仕切壁５２はチルド室５０の背壁上に延設される延設部５２ｃを有する。延設部５２ｃの上端は吐出口１４及び戻り口１５よりも上方に配される。
【００３４】
収納ケース５１の下面（外面）には仕切壁５２が嵌合する溝部５１ａが設けられる。また、収納ケース５１の背面上には吐出口１４と戻り口１５との間を左右に仕切る一対の遮蔽リブ５１ｂが設けられる。一対の遮蔽リブ５１ｂ間には延設部５２ｃが嵌合する溝部が形成される。なお、延設部５２ｃを省いて遮蔽リブ５１ｂをチルド室５０の背壁上に当接または近接させてもよい。
【００３５】
上記構成の冷蔵庫１において、圧縮機及び送風ファン９の駆動によって冷気通路２２を流通する空気と冷却器１０とが熱交換して冷気が生成される。冷却器１０で生成された冷気は冷気通路２２を流通し、吐出口（不図示）を介して冷凍室６及び冷凍室８に吐出される。冷凍室６及び冷凍室８内に吐出された冷気は戻り口（不図示）を介して冷却器１０に戻る。
【００３６】
ダンパ（不図示）が開かれると冷気通路２３に冷気が流入し、吐出口１４及び吐出口２３ａから冷蔵室５に冷気が吐出される。チルド室５０に臨む吐出口１４は隔離壁５ｃよりも上方の吐出口２３ａよりも冷却器１０（図１参照）に近いため、チルド室５０内が隔離壁５ｃの上方よりも低温に維持される。
【００３７】
吐出口２３ａから冷蔵室５に吐出された冷気は冷蔵室５の前方へ流通した後に下方に流通する。そして、冷蔵室５の隔離壁５ｃよりも上方の冷気の一部は戻り口１７に導かれる。
【００３８】
吐出口１４からチルド室５０に吐出された冷気は仕切壁５２に沿ってダクト部１６内を前方に流通する。ダクト部１６内を前方に流通する冷気は仕切壁５２の前方で折り返して後方に流通し、戻り口１５から流出する。
【００３９】
これにより、吐出口１４から吐出される冷気が仕切壁５２によりダクト部１６内を収納ケース５１に沿って前方に流通して収納ケース５１内を間接冷却する。このため、収納ケース５１の前部まで確実に冷却することができる。また、ダクト部１６内を前方に流通した冷気は仕切壁５２の前方で折り返して後方に流通して収納ケース５１内を間接冷却する。このため、収納ケース５１内全体を効率的に冷却することができる。
【００４０】
戻り口１５、戻り口１７を介して冷蔵室５から流出した冷気は連通路（不図示）を流通して野菜室７に流入し、野菜室７を冷却する。野菜室７を流通した冷気は戻り通路（不図示）を介して冷却器１０へ戻る。
【００４１】
本実施形態によると、チルド室５０（低温室）の底壁（断熱壁１１）上にダクト部１６が凹設され、前後方向に延びて吐出口１４と戻り口１５との間を左右に仕切る仕切壁５２がダクト部１６の底面に立設される。これにより、収納ケース５１の下方を冷気が前後方向に流通して、収納ケース５１内を均一に冷却することができる。また、収納ケース５１の上方の隔離壁５ｃを断熱材２ｃにより形成しなくてもよいため、冷蔵庫１の容積効率を向上するとともに製造コストを削減することができる。
【００４２】
また、冷凍室６と野菜室７とを冷蔵室５の下方に左右に並設し、ダクト部１６が冷凍室６の上方を避けて野菜室７の上方に配される。これにより、野菜室７の上方でダクト部１６により断熱壁１１の断熱厚さを小さくしても冷蔵室５と野菜室７との間の断熱性を確保することができる。
【００４３】
また、仕切壁５２がチルド室５０の背壁上に延設した延設部５２ｃを有するので、吐出口１４と戻り口１５との間をより確実に仕切ることができる。このため、収納ケース５１とチルド室５０の背壁との間の冷気のショートサーキットを防止し、収納ケース５１内をより確実に冷却することができる。
【００４４】
また、収納ケース５１の背面上に吐出口１４と戻り口１５との間を左右に仕切る遮蔽リブ５１ｂを設けたので、収納ケース５１とチルド室５０の背壁との間の冷気のショートサーキットをより確実に防止することができる。
【００４５】
また、収納ケース５１の外面上に仕切壁５２が嵌合する溝部５１ａを設けたので、吐出口１４と戻り口１５との間をより確実に仕切ることができる。
【００４６】
＜第２実施形態＞
次に、図５は第２実施形態の冷蔵庫１のチルド室５０の側面断面図を示している。説明の便宜上、前述の図１〜図４に示す第１実施形態と同様の部分には同一の符号を付している。本実施形態は仕切壁５２の形状、戻り口１７が省略されている点が第１実施形態と異なっている。その他の部分は第１実施形態と同様である。
【００４７】
ダクト部１６の底面上に立設される仕切壁５２は仕切部５２ａ及び仕切部５２ｂを有している。仕切部５２ａ（第１仕切部）はダクト部１６の後部に配され、仕切部５２ａの上面は収納ケース５１の下面に当接する。仕切部５２ａが収納ケース５１の下面に近設してもよい。仕切部５２ｂ（第２仕切部）は仕切部５２ａの前方に配され、上面５２ｄを前方が下がる傾斜面により形成して仕切部５２ａよりも低くなっている。また、ダクト部１６の前壁が低くなっており、冷蔵室５からの冷気がダクト部１６に流入できるようになっている。ダクト部１６の前壁を低くする代わりに、収納ケース５１を上に移動して収納ケース５１の前端とダクト部１６の前壁との間に隙間を設けても良い。
【００４８】
これにより、隔離壁５ｃよりも上方から降下した冷蔵室５流通後の冷気がダクト部１６内に流入して戻り口１５から流出するため、冷蔵室５とチルド室５０の戻り口を１つにまとめることができる。その一方で、ダクト部１６内には冷蔵室５流通後の比較的温度の高い冷気が流入する。特に、ダクト部１６内の冷気の流通方向が前方に流通する側の通路よりも後方に流通する側の通路に流入しやすくなるため、後方に流通する側の通路がより高温となるおそれがある。しかし、本実施形態では、吐出口１４から吐出して前方に流通する冷気の一部は仕切部５２ｂの前方で後方に折り返され、他の一部は仕切部５２ｂの上方で後方に折り返される。このため、仕切部５２ｂの上方を通る低温の冷気によって、ダクト部１６内を後方に流通する冷気の昇温が抑制される。これにより、収納ケース５１内の左右の温度ばらつきが抑制され、収納ケース５１内をより均一に冷却することができる。
【００４９】
本実施形態によると、第１実施形態と同様の効果を奏することができる。また、仕切壁５２がダクト部１６の後部に配される仕切部５２ａ（第１仕切部）と、仕切部５２ａの前方に配して仕切部５２ａよりも低い仕切部５２ｂ（第２仕切部）とを有するので、収納ケース５１内をより均一に冷却することができる。
【００５０】
＜第３実施形態＞
次に、図６は第３実施形態の収納ケース５１近傍の上面図を示している。説明の便宜上、前述の図５に示す第２実施形態と同様の部分には同一の符号を付している。本実施形態は仕切壁５２の形状とダクト部１６の前方に収納部２５が設けられる点が第２実施形態と異なっている。その他の部分は第２実施形態と同様である。
【００５１】
ダクト部１６の底面上に立設される仕切壁５２は仕切部５２ａの前方に仕切部５２ｂを配して形成される。仕切部５２ｂは仕切部５２ａに対する段差により形成され、仕切部５２ａよりも低くなっている。
【００５２】
チルド室５０の前方には背の低い貯蔵物を収納する収納部２５が配される。収納部２５は冷蔵室５の底壁を形成する断熱壁１１に凹設される。収納部２５の上面には前後にスライド可能な蓋部２６が設けられる。蓋部２６は収納部２５の上面を閉じて後方にスライドして収納部２５を開くように配置される。この時、仕切部５２ｂが仕切部５２ａに対する段差により形成されるため、後方にスライドした蓋部２６が仕切部５２ｂと収納ケース５１との間に配される。これにより、蓋部２６と仕切壁５２との干渉を防止することができる。
【００５３】
本実施形態によると、第２実施形態と同様に、仕切部５２ａの前方に仕切部５２ａよりも低い仕切部５２ｂを有するので、収納ケース５１内をより均一に冷却することができる。また、断熱壁１１に凹設した収納部２５をチルド室５０の前方に設けたので冷蔵庫１の利便性を向上することができる。この時、仕切部５２ｂが仕切部５２ａに対する段差により形成されため、収納部２５の上面を開閉する蓋部２６と仕切壁５２との干渉を防止することができる。
【００５４】
＜第４実施形態＞
次に、図７、図８は第４実施形態のチルド室５０の正面断面図、上面断面図を示している。説明の便宜上、前述の図５に示す第２実施形態と同様の部分には同一の符号を付している。本実施形態はチルド室５０及びダクト部１６の形状が第２実施形態と異なっている。その他の部分は第２実施形態と同様である。
【００５５】
チルド室５０は冷蔵室５の横幅全体に設けられる。ダクト部１６は冷凍室６の上方を避けて野菜室７の上方に配される。収納ケース５１の底壁５１ｄとダクト部１６の左側に設けられる断熱壁１１との間には隙間Ｓが形成される。吐出口１４はダクト部１６の上部に形成される。
【００５６】
吐出口１４から吐出して前方に流通する冷気の一部は仕切部５２ｂの前方で後方に折り返され、他の一部は仕切部５２ｂの上方で後方に折り返される。また、隔離壁５ｃよりも上方から降下して戻り口１５に導かれる冷気の一部は第２実施形態と同様に、ダクト部１６の右部に流入する。さらに、本実施形態では、隔離壁５ｃよりも上方から降下して戻り口１５に導かれる冷気の一部は、隙間Ｓ、ダクト部１６の左部及び仕切部５２ｂの上方を通る。
【００５７】
収納ケース５１の左側は冷凍室６や冷気通路２３からの伝熱で冷却される。収納ケース５１の中央部は吐出口１４から吐出される冷気で冷却される。これに対して収納ケース５１の右側は冷蔵室５流通後の比較的温度の高い冷気が流入するため、温度が高くなりやすい。そこで、本実施形態では、ダクト部１６の左側に設けられる断熱壁１１と収納ケース５１の底壁５１ｄとの間の隙間Ｓからも冷蔵室５流通後の比較的温度の高い冷気を流入させる。これにより、比較的温度の高い冷気が隙間Ｓ、ダクト部１６の左部を通って、仕切部５２ｂの上方から戻り口１５に導かれるため、収納ケース５１の左側や中央部と、収納ケース５１の右側との温度差を小さくでき、収納ケース５１内をより均一に冷却することができる。
【００５８】
本実施形態によると、チルド室５０が冷蔵室５の横幅全体に設けられる。チルド室５０の底壁は異なる温度の貯蔵室（冷凍室６、野菜室７）に隣接する部分をそれぞれ有するが、高温となる貯蔵室（野菜室７）に対向する底壁に冷却用のダクト部１６を凹設し、低温となる貯蔵室（冷凍室６）に対向する底壁に冷蔵室５を流通後の冷気が流入する隙間Ｓを設ける。このため、高温となる貯蔵室（野菜室７）に対向する収納ケース５１の領域はダクト部１６を流通する冷気で冷却し、低温となる貯蔵室（冷凍室６）に対向する収納ケース５１の領域は、冷蔵室５を流通後の冷気が介在することで低温となる貯蔵室（冷凍室６）からの伝熱を抑制する。これにより、収納ケース５１内の左右の温度ばらつきを抑制することができ、冷蔵室５の横幅全体に設けられたチルド室５０内の収納ケース５１内をより均一に冷却することができる。
【００５９】
本実施形態において、第３実施形態と同様に、仕切部５２ｂを仕切部５２ａに対する段差により形成してもよい。
【００６０】
第１〜第４実施形態において、冷蔵室５の底部にチルド室５０により低温室が構成されるが、チルド温度よりも低温（例えば、−１℃〜−３℃）の氷温室等により低温室を構成してもよい。また、第１実施形態において、第２実施形態を適用して冷蔵室５からの冷気がダクト部１６に流入できるようにし、戻り口１７を省略してもよい。また、第２〜第４実施形態において、戻り口１７を設けてもよい。
【産業上の利用可能性】
【００６１】
本発明によると、冷蔵室内に低温室を備えた冷蔵庫に利用することができる。
【符号の説明】
【００６２】
１      冷蔵庫
２      断熱箱体
３      本体部
５      冷蔵室
５ｃ    隔離壁
６      冷凍室
７      野菜室
８      冷凍室
９      送風ファン
１０      冷却器
１１、１３    断熱壁
１４、２３ａ  吐出口
１５      戻り口（第１戻り口）
１６      ダクト部
１７      戻り口（第２戻り口）
２２、２３    冷気通路
２５      収納部
２６      蓋部
５０      チルド室
５０ａ    連通部
５０ｂ    側壁
５１      収納ケース
５１ａ    溝部
５１ｂ    遮蔽リブ
５１ｃ    蓋
５１ｄ    底壁
５２      仕切壁
５２ａ    仕切部（第１仕切部）
５２ｂ    仕切部（第２仕切部）
５２ｃ    延設部
５２ｄ    上面
Ｓ        隙間
【図１】
2018179468.tif 000003
【図２】
2018179468.tif 000004
【図３】
2018179468.tif 000005
【図４】
2018179468.tif 000006
【図５】
2018179468.tif 000007
【図６】
2018179468.tif 000008
【図７】
2018179468.tif 000009
【図８】
2018179468.tif 000010
【国際調査報告】
2018179468.tif 000011
2018179468.tif 000012
2018179468.tif 000013
2018179468.tif 000014